(57)【要約】【課題】  ボルトの先端部に孔を設け、そこに内ネジを形成すると共に、その先端部外周にスリットを形成し、そこに新たなボルトを螺着する構造の締結具の緩み止め装置において、緩み止めを確実に行うと共に、新たなボルトの着脱によってボルト先端の内ネジが潰れないようにすること。【解決手段】  本体ボルト８の孔４の開口部に内テーパ５を形成し、その孔４内に内ネジ６を形成する。そしてテーパボルト14の軸部11の根元部に外テーパ12を形成し、その先端側に内ネジ６を設ける。そして、本体ボルト８の外ネジ３と内ネジ６とは逆ネジにする。【選択図】        図４
2012172780.tif 000002
【特許請求の範囲】
【請求項１】
一端外周に多角形の頭部(1)を有し、その軸部(2)の外周に外ネジ(3)が形成され、その軸部(2)の軸線上に孔(4)が形成され、その孔(4)の開口部に頭部側に縮小する内テーパ(5)が形成され、その孔(4)内に内ネジ(6)が形成され、その軸部(2)の一端に軸線方向にスリット(7)がその軸部外周および前記内テーパを縦断して形成された本体ボルト(8)と、
その本体ボルト(8)の外ネジ(3)に螺着され、外周が多角形のナット(9)と、
一端外周に多角形の頭部(10)を有し、その軸部(11)の根元部に先端側に縮小する外テーパ(12)が形成され、その外テーパ(12)より先端側に前記内ネジ(6)に螺着される外ネジ(13)が形成されたテーパボルト(14)と、
を具備し、
前記本体ボルト(8)の外ネジ(3)の螺回方向と、前記本体ボルト(8)の前記内ネジ(6)の螺回方向とが逆ネジに形成され、
前記テーパボルト(14)の軸部(11)が前記本体ボルト(8)の内ネジ(6)に螺着締結され、そのテーパボルト(14)の外テーパ(12)が本体ボルト(8)の内テーパ(5)に圧入されて、本体ボルト(8)の軸部(11)の先端部が拡開されたとき、その変形がナット(9)との螺着部にも形成され、それによりナット(9)が締結方向に外力が加わるようにした締結具の緩み止め装置。
【請求項２】
請求項１に記載の締結具の緩み止め装置において、
非締結状態で、本体ボルト(8)の内テーパ(5)のテーパ角度が、テーパボルト(14)の外テーパ(12)のそれより小に形成された締結具の緩み止め装置。
【請求項３】
請求項２に記載の締結具の緩み止め装置において、
ナット(9)の締結状態で、テーパボルト(14)の螺着締結を伴う本体ボルト(8)の先端部の拡開により、本体ボルト(8)の内テーパ(5)のテーパ角度が、テーパボルト(14)の外テーパ(12)のそれに略整合するように構成された締結具の緩み止め装置。
【発明の詳細な説明】
【技術分野】
【０００１】
本発明は、振動が加わる高圧送電線の鉄塔に使用するボルトや、リニアモータの取付けコイルの締結ボルト、さらには各種機器の締結ボルトとして用いる締結具の緩み止め装置に関する。
【背景技術】
【０００２】
簡易な緩み止め防止装置として、特許文献１に記載のものが提案されている。
これはボルトの軸部先端部に孔を形成し、その孔に内ネジを形成する。さらにそのボルト先端部に、周方向に離間して複数のすり割りを形成する。そして内ネジに整合する補助ボルトを用意し、その補助ボルトの頭部をテーパ状に形成する。そしてボルト外周にナットを螺着して、被締結部材を締結固定する。次いで、補助ボルトをボルトの先端部の内ネジに螺着締結し、補助ボルトのテーパ部によってボルト先端部を拡開するものである。
【先行技術文献】
【特許文献】
【０００３】
【特許文献１】特開２００９−２９９８８５号公報
【発明の概要】
【発明が解決しようとする課題】
【０００４】
特許文献１に記載された緩み止め防止ボルトは、補助ボルトの頭部に設けたテーパ部がボルト先端の内ネジに圧入され、その先端部を拡開するものである。即ち、テーパ部が内ネジのネジ内に入り込むことになる。そのため、内ネジはテーパ部の進入によりその山が潰れてしまうおそれがあり、補助ボルトの着脱を繰り返すことができなくなる。
また、ボルト先端の拡開の範囲はナットの螺着位置よりも先端側になる。そのため、ナットは僅かな緩みが生じるおそれがある。
【０００５】
さらには、ナットと補助ボルトは同一の回転方向に螺着されるから、振動等によりそのナットと補助ボルトが同時に緩むおそれがある。
そこで、本発明は係る問題点を解決することを課題とする。
【課題を解決するための手段】
【０００６】
請求項１に記載の本発明は、一端外周に多角形の頭部(1)を有し、その軸部(2)の外周に外ネジ(3)が形成され、その軸部(2)の軸線上に孔(4)が形成され、その孔(4)の開口部に頭部側に縮小する内テーパ(5)が形成され、その孔(4)内に内ネジ(6)が形成され、その軸部(2)の一端に軸線方向にスリット(7)がその軸部外周および前記内テーパを縦断して形成された本体ボルト(8)と、
その本体ボルト(8)の外ネジ(3)に螺着され、外周が多角形のナット(9)と、
一端外周に多角形の頭部(10)を有し、その軸部(11)の根元部に先端側に縮小する外テーパ(12)が形成され、その外テーパ(12)より先端側に前記内ネジ(6)に螺着される外ネジ(13)が形成されたテーパボルト(14)と、を具備し、
前記本体ボルト(8)の外ネジ(3)の螺回方向と、前記本体ボルト(8)の前記内ネジ(6)の螺回方向とが逆ネジに形成され、
前記テーパボルト(14)の軸部(11)が前記本体ボルト(8)の内ネジ(6)に螺着締結され、そのテーパボルト(14)の外テーパ(12)が本体ボルト(8)の内テーパ(5)に圧入されて、本体ボルト(8)の軸部(11)の先端部が拡開されたとき、その変形がナット(9)との螺着部にも形成され、それによりナット(9)が締結方向に外力が加わるようにした締結具の緩み止め装置である。
【０００７】
請求項２に記載の本発明は、請求項１に記載の締結具の緩み止め装置において、
非締結状態で、本体ボルト(8)の内テーパ(5)のテーパ角度が、テーパボルト(14)の外テーパ(12)のそれより小に形成された締結具の緩み止め装置である。
請求項３に記載の本発明は、請求項２に記載の締結具の緩み止め装置において、
ナット(9)の締結状態で、テーパボルト(14)の螺着締結を伴う本体ボルト(8)の先端部の拡開により、本体ボルト(8)の内テーパ(5)のテーパ角度が、テーパボルト(14)の外テーパ(12)のそれに略整合するように構成された締結具の緩み止め装置である。
【発明の効果】
【０００８】
本発明の緩み止め装置は、テーパボルト14の軸部11が本体ボルト８の内ネジ６に締結され、その本体ボルト８の先端部が拡開されたとき、その変形がナット９の螺着部にも形成され、それによってナット９が締結方向に外力が加わるようにしたから、ナット９と本体ボルト８との緩み止めを確実に行い得る。
また、ナット９の螺着方向とテーパボルト14の螺着方向とを逆向きに形成したから、締結の際、被締結部材のナット９側でそのナット９とテーパボルト14とを一対の締結具を互いに逆方向に回転して、同時に締め付けることが可能となる。それにより、より確実な緩み止め効果を得ることができる。さらには、各ボルトが振動により一方側に回転するようになっても、ナット９とテーパボルト14は逆ネジであるため、他方がより締結されて、緩むことを確実に防止できる。
【０００９】
上記構成において、請求項２に記載のように、本体ボルト８の内テーパ５のテーパ角度をテーパボルト14の外テーパ12のそれより小に形成した場合には、その圧入の際、各テーパ部で互いに線接触して、より円滑に本体ボルト８の先端部を拡開することができる。
上記構成において、請求項３に記載のように、ナット９の締結状態でテーパボルト14を介して本体ボルト８の先端部を拡開することにより、本体ボルト８の内テーパ５のテーパ角度をテーパボルト14の外テーパ12のそれに略整合するように構成した場合には、締結後にテーパボルト14の外テーパ12と、本体ボルト８の内テーパ５とが面で接触し、より強固な抜け止め効果を得ることができる。
【図面の簡単な説明】
【００１０】
【図１】本発明の締結具の緩み止め装置の分解斜視図。
【図２】同装置の締結過程の説明図。
【図３】同装置の一部破断分解正面図。
【図４】同装置の締結説明図。
【図５】同要部断面図であって、締結前の状態を示す。
【図６】同要部断面図であって、締結後の状態を示す。
【発明を実施するための形態】
【００１１】
次に、図面に基づいて本発明の実施の形態につき説明する。
本発明の締結具の緩み止め装置は、図１〜図４に示す如く、本体ボルト８とナット９とテーパボルト14とからなる。
本体ボルト８は、その一端外周に多角形（この例は六角形）の頭部１を有し、その軸部２の外周に外ネジ３が形成されている。そして、その軸部２の軸端の軸線上に孔４が形成され、その孔４の開口部に頭部１側に縮小する内テーパ５が形成されている。そして、その内テーパ５の終端部を含んで、孔４内に内ネジ６が形成され、その軸部２の一端部に軸線方向に複数のスリット７が形成され、それが軸部外周及び内テーパ５を横断して形成されている。このように、内ネジ６が内テーパ５の端部を含むことにより、テーパボルト14を螺着締結して拡開するとき、螺着が円滑で且つ、それらのネジ部を損傷することがない。
【００１２】
また、スリット７は、図３に示す如く、本体ボルト８の内テーパ５および内ネジ６の端部まで形成されている。スリット７の数は、この例では４本であるが、それをさらに増すことも可能である。
本体ボルト８の外ネジ３は、この例では右ネジに形成され、その内ネジ６は左ネジに形成されている。そして、この外ネジ３に右ネジのナット９が螺着される。
このナット９は、通常の規格ナットを用いることもできるが、それより少し高さの高いものを使用すれば締結力を増すことができる。ナット９の外周は、多角形（この例では六角形）に形成されている。
【００１３】
次に、テーパボルト14は、一端外周に多角形の頭部10（この例では六角形）を有し、その軸部11の根元部に先端側に縮小する外テーパ12が形成されている。そしてその外テーパ12より先端側に左ネジの外ネジ13が形成され、それが本体ボルト８の内ネジ６に螺着される。
なお、テーパボルト14の外ネジ13を右ネジとし、本体ボルト８の内ネジ６も右ネジとすると共に、本体ボルト８の外ネジ３を左ネジとし、ナット９も左ネジとすることができる。何れにしても、本体ボルト８の内ネジ６と外ネジ３とは逆ネジに形成される。
そのようにすることにより、振動によりナット９とテーパボルト14との一方が緩んでも他方が締結されることになる。
【００１４】
本体ボルト８の内テーパ５のテーパ角度は、図４から明らかなように、テーパボルト14の外テーパ12のテーパ角度よりも僅かに小である。これは、テーパボルト14を本体ボルト８に挿入し易くし、それを締結したとき、本体ボルト８の先端部の拡開に伴ってその内テーパ５が広がる。そして、拡開の最終で外テーパ12と内テーパ５とが整合し、両者が面接触することにより、その滑止め効果を発揮させるためである。
【００１５】
〔作用〕
次に、本発明の締結具の緩み止め装置の作用につき説明する。
先ず、一例として一対の被締結部材15のボルト挿通孔に、本体ボルト８の軸部２を挿通し、ナット９を本体ボルト８の外ネジ３に螺着する。それと共に、テーパボルト14を本体ボルト８の内ネジ６に螺着し、図４の如く、実線の状態から鎖線の状態に締結する。すると本体ボルト８の軸部２の先端部は、実線の状態から鎖線の状態に拡開される。即ち、図５の状態から図６の状態に締結される。そして本体ボルト８の先端部が変形し、その変形はナット９の雌ネジ部分まで及ぶ。すると、その変形によってナット９は締結方向に外力が加えられることになる。
【００１６】
なお、テーパボルト14を締結するには、図２に示す如く、被締結部材15に対して本体ボルト８の頭部１の反対側でナット９の外周に第１スパナ16を嵌着し、テーパボルト14の外周に第２スパナ17を嵌着する。そして、互いに矢印の如く逆方向に回転することにより、両者を同時に且つ、確実に締め付けることができる。そして図６の如く、本体ボルト８の先端部は鎖線の状態から実線の状態に変形する。このとき、テーパボルト14の外テーパ12と本体ボルト８の内テーパ５とは整合する。そのため、ナット９が緩むことを防止する。
さらに、ナット９は右ネジであり、テーパボルト14は左ネジであるため、振動等が生じても一方が緩む方向であるとすれば、他方は締め付ける方向となり、何れにしても緩み止め効果が生じる。さらには、外ネジ３の変形によりナット９は締結方向に付勢される。
【符号の説明】
【００１７】
１  頭部
２  軸部
３  外ネジ
４  孔
５  内テーパ
６  内ネジ
７  スリット
８  本体ボルト
９  ナット
【００１８】
10  頭部
11  軸部
12  外テーパ
13  外ネジ
14  テーパボルト
15  被締結部材
16  第１スパナ
17  第２スパナ
18  底部
【図１】
2012172780.tif 000003
【図２】
2012172780.tif 000004
【図３】
2012172780.tif 000005
【図４】
2012172780.tif 000006
【図５】
2012172780.tif 000007
【図６】
2012172780.tif 000008